(57)【要約】【課題】多次元配列された項目を選択するためのカーソル移動を、表示を視認しながら容易且つ的確に行える選択装置を提供する。【解決手段】多次元配列された項目の各次元軸のうち、移動させる次元軸を指示する次元軸指示手段である方向指示スイッチ部１０と、指示した次元軸における移動の向きと移動量を、回転方向と回転量に応じてそれぞれ指示する移動量指示手段である移動量指示回転ダイヤル部２０と、を備え、方向指示スイッチ部１０及び移動量指示回転ダイヤル部２０の連携操作により項目を選択する。【選択図】図５
2007172024.tif 000002
【特許請求の範囲】
【請求項１】
多次元配列された項目を選択する選択装置であって、
前記多次元配列された項目の各次元軸のうち、移動させる次元軸を指示する次元軸指示手段と、
指示した前記次元軸における移動の向きと移動量を、回転方向と回転量に応じてそれぞれ指示する移動量指示手段と、を備え、
前記次元軸指示手段及び前記移動量指示手段の連携操作により項目を選択することを特徴とする選択装置。
【請求項２】
多次元配列された項目を選択する選択装置であって、
前記多次元配列された項目の各次元軸のうち、移動させる次元軸及び方向を指示する次元軸指示手段と、
指示した前記次元軸及び方向における移動量を、回転量に応じて指示する移動量指示手段と、を備え、
前記次元軸指示手段及び前記移動量指示手段の連携操作により項目を選択することを特徴とする選択装置。
【請求項３】
前記次元軸指示手段は、現在のカーソル位置に関わらず、前記移動させる次元軸の指示が可能であることを特徴とする請求項１又は２に記載の選択装置。
【請求項４】
請求項１〜３のいずれか１項に記載された選択装置を備えたことを特徴とするリモートコントローラ。
【請求項５】
多次元配列された項目を選択する選択装置のカーソル移動方法であって、
前記多次元配列された項目の各次元軸のうち、移動させる次元軸を指示する次元軸指示ステップと、
指示した前記次元軸における移動の向きと移動量を、回転方向と回転量に応じてそれぞれ指示する移動量指示ステップと、を含み、
前記次元軸指示ステップ及び前記移動量指示ステップの連携により項目を選択することを特徴とするカーソル移動方法。
【請求項６】
多次元配列された項目を選択する選択装置のカーソル移動方法であって、
前記多次元配列された項目の各次元軸のうち、移動させる次元軸及び方向を指示する次元軸指示ステップと、
指示した前記次元軸及び方向における移動量を、回転量に応じて指示する移動量指示手段と、を備え、
前記次元軸指示手段及び前記移動量指示手段の連携操作により項目を選択することを特徴とするカーソル移動方法。
【請求項７】
前記次元軸指示ステップは、現在のカーソル位置に関わらず、前記移動させる次元軸の指示が可能であることを特徴とする請求項５又は６に記載のカーソル移動方法。
【発明の詳細な説明】
【技術分野】
【０００１】
本発明は、リモートコントローラなど、画面表示されている項目を選択するため選択装置及びそのカーソル移動方法に関する。
【背景技術】
【０００２】
プラズマディスプレイや液晶ディスプレイに代表されるように、表示装置の大型化、高精細化が進み、画面上に表示可能な情報量が増加している。一方で、携帯電話など小型端末の普及に伴い、限定された画面スペースに出来る限り多くの情報を表示させる方法や、表示の指示や表示内容の選択指示を含む各種動作命令を簡単で少ない操作で行う方法などが開発されている。
【０００３】
従来、画面表示されたリスト上などでカーソルを移動させて所望の項目を選択するための手段としては、キーボードの矢印キーや、マウス等があった。その後、ボタンの押下ではなく、回転によりカーソルの移動や項目の選択を行うジョグ／シャトルダイヤルなどの回転式の選択手段が提案され、携帯電話端末や携帯型音楽再生装置など多くの機器で採用されている。また、装備した回転式選択手段を用いて、テレビ受像機などの相手機器を適切に操作することができるリモートコントローラなども提案されている（例えば、特許文献１参照）。
【０００４】
これらの情報機器では、多機能化すればするほど画面上に表示させる情報量が増加するため、表示方法に関する工夫も各種提案されている。例えば、“「メニュー」から所望の項目を選択し、次に選択した項目に関するサブメニューを表示して、階層的に選択を行わせる”というようなメニュー形式の表示方法などが一般的である。ところが、上記のような表示装置の発達により、画面上でオブジェクト（項目）の３次元的な表示が容易に行えるようになると（例えば、特許文献２参照）、今後は各種オブジェクト（項目）の表示も３次元的な配列が可能になると予想される。
【特許文献１】特開平６−３５０８６９号公報（第３頁〜第４頁、図２）
【特許文献２】特開２００５−６５１６２号公報（第８頁〜第２５頁、図１）
【発明の開示】
【発明が解決しようとする課題】
【０００５】
ところで、項目の配列が３次元またはそれ以上の多次元となると、項目を選択するための操作は、１次元、２次元の場合に比較して複雑になる。この状況について図面を用いて説明する。
【０００６】
図１は、１次元配列されたデータの表示例および従来の選択手段を用いた選択方法例を模式的に示す図である。例えば、携帯型音楽再生装置などで再生する音楽のリストを表示する場合には１次元的に情報を表示すればよい。図に示すような画面上の表示に対して、従来は、例えば、携帯型音楽再生装置のジョグダイヤルを左右に回転させることにより、所望の曲名を示す項目欄へカーソルを移動させることができた。
【０００７】
次に、図２は、２次元配列されたデータの表示例および従来の選択手段を用いた選択方法例を模式的に示す図である。例えば、テレビチューナ付きのパソコンや携帯端末などで、予約録画するために表示する番組表は２次元的に情報が表示される。即ち、任意の１日分の番組情報は、縦軸に時刻、横軸にテレビ局（チャンネル）を設定した２次元マトリックスに配列される。図に示すような画面上の表示に対して、従来は、例えば、リモートコントローラに設けられた十字キー（上下方向と左右方向にボタンの押下が可能なキー）を操作して、所望の番組名を示す項目欄へカーソルを移動させることができた。この際、所望の項目欄へカーソルを移動させるのに何度もキーの押下が必要で操作が煩雑であるという問題があった。また、十字キー以外にも従来のジョグダイヤルを用いた選択方法も設定可能ではあるが、別なボタンの押下という操作が追加されるので（図中の（ａ），（ｂ）に一例を示す）、やはり操作が煩雑であるという問題があった。
【０００８】
最後に、図３は、３次元配列されたデータの表示例を模式的に示す図である。情報が３次元的に表示される例として、例えば、前述の番組表が複数の日数に渡って配列される場合がある。即ち、個別の番組情報が、縦軸に時刻、横軸にチャンネル、奥行き方向に日付を設定した３次元マトリックス内に配列される。図に示すような画面上の表示に対しては、従来の選択装置がジョグダイヤルであっても、十字キーであっても、「奥行き方向」の移動を設定する(即ち、日付を設定する）ためのキー押下が更に少なくとも１回必要となるため、操作数および操作方法が著しく煩雑になるという問題が生じる。つまり、多次元配列された項目を選択する場合、選択のためのカーソル移動が煩雑になるという問題があった。
【０００９】
一方、図４は、項目を階層的に表示して選択を行わせる従来のメニュー表示の例を示す図である。例えば、携帯端末の設定を行うメニューでは、最初に大分類が表示され、順次選択した分類に関するサブメニューに移動する。図４に示すように、決定キーで「画質」（図４（ａ））→「コントラスト」（図４（ｂ））と選択するとコントラストの調整インジケータ（図４（ｃ））が表示される。ところが、このようなメニュー方式の従来の表示では、特に階層数が多いような場合、現在どの階層に位置しているかが把握しにくいという問題や、下位の階層から最初のメニュー画面に即座に戻ることができないという問題があった。例えば、図４の例では、戻るキーを階層分だけ押下しなければコントラストの調整画面から、初期メニュー画面には戻ることができない。
【００１０】
本発明が解決しようとする課題としては、多次元配列された項目を選択するためのカーソル移動を、表示を視認しながら容易且つ的確に行える選択装置を提供することが一例として挙げられる。また、次元軸に係る移動方向の指示を随時可能とすることにより、カーソルの移動を迅速且つ的確に行える選択装置を提供することも一例として挙げられる。
【課題を解決するための手段】
【００１１】
請求項１に記載の選択装置は、多次元配列された項目を選択する選択装置であって、前記多次元配列された項目の各次元軸のうち、移動させる次元軸を指示する次元軸指示手段と、指示した前記次元軸における移動の向きと移動量を、回転方向と回転量に応じてそれぞれ指示する移動量指示手段と、を備え、前記次元軸指示手段及び前記移動量指示手段の連携操作により項目を選択することを特徴とする。
【００１２】
請求項２に記載の選択装置は、多次元配列された項目を選択する選択装置であって、前記多次元配列された項目の各次元軸のうち、移動させる次元軸及び方向を指示する次元軸指示手段と、指示した前記次元軸及び方向における移動量を、回転量に応じて指示する移動量指示手段と、を備え、前記次元軸指示手段及び前記移動量指示手段の連携操作により項目を選択することを特徴とする。
【００１３】
請求項４に記載のリモートコントローラは、請求項１〜３のいずれか１項に記載された選択装置を備えたことを特徴とする。
【００１４】
請求項５に記載のカーソル移動方法は、多次元配列された項目を選択する選択装置のカーソル移動方法であって、前記多次元配列された項目の各次元軸のうち、移動させる次元軸を指示する次元軸指示ステップと、指示した前記次元軸における移動の向きと移動量を、回転方向と回転量に応じてそれぞれ指示する移動量指示ステップと、を含み、前記次元軸指示ステップ及び前記移動量指示ステップの連携により項目を選択することを特徴とする。
【００１５】
請求項６に記載のカーソル移動方法は、多次元配列された項目を選択する選択装置のカーソル移動方法であって、前記多次元配列された項目の各次元軸のうち、移動させる次元軸及び方向を指示する次元軸指示ステップと、指示した前記次元軸及び方向における移動量を、回転量に応じて指示する移動量指示手段と、を備え、前記次元軸指示手段及び前記移動量指示手段の連携操作により項目を選択することを特徴とする。
【発明を実施するための最良の形態】
【００１６】
本発明に係る多次元配列された項目の選択装置及びそのカーソル移動方法の最良の実施形態は、多次元配列された項目を選択する選択装置であり、下記（１）、（２）を備えている。
（１）  多次元配列された項目の各次元軸のうち、移動させる次元軸を指示する次元軸指示手段。
（２）  指示した次元軸における移動の向きと移動量を、回転方向と回転量に応じてそれぞれ指示する移動量指示手段。
そして、上記（１）及び（２）の連携操作により項目を選択するものである。
【００１７】
あるいは、上記（１）の次元軸指示手段は、多次元配列された項目の各次元軸のうち、移動させる次元軸及び方向を指示するものでもよく、この場合、（２）の移動量指示手段は、指示した次元軸及び方向における移動量を、回転量に応じて指示するものとする。
【００１８】
これにより、次元軸に係る移動方向を指示し、選択した移動方向について、回転方向と回転量に応じて移動の向きと移動量をそれぞれ指示することにより、多次元配列された項目を選択するためのカーソル移動を、表示を視認しながら容易且つ的確に行うことができる。また、次元軸に係る移動方向の指示を随時可能とすることにより、カーソルの移動を迅速且つ的確に行うことができる。
【００１９】
以下、本発明に係る多次元配列された項目の選択装置及びそのカーソル移動方法の最良の実施形態における具体例である実施例を挙げ、図面を参照して説明する。
【実施例】
【００２０】
図５は、本発明の実施例における選択装置の内部構成を示すブロック図である。図５に示すように選択装置１００は、主に、方向指示スイッチ部（次元軸指示手段）１０、移動量指示回転ダイヤル部（移動量指示手段）２０、とで構成される。方向指示スイッチ部１０の押下と、移動量指示回転ダイヤル部２０の回転方向並びに回転量に関する検知情報は、機器の制御部２００へ伝達される。
【００２１】
図６は、本発明の実施例における選択装置の外観を模式的に示す図である。図７は、本発明の実施例における選択装置のリモートコントローラへの搭載例を模式的に示す図である。図８は、リモートコントローラ３００に対応する表示手段（ディスプレイ装置など、図示省略）に表示される多次元配列された項目の表示例を模式的に示す図である。
【００２２】
図６に示すように、選択装置１００には、移動量指示回転ダイヤル部２０の下に、押しボタン式の方向指示スイッチ部１０が上下・左右・斜めの８方向に配置されている。移動量指示回転ダイヤル部２０は、僅かな角度だけ傾斜させることが可能に構成されており、傾斜させたダイヤルの縁部で方向指示スイッチ部１０を押下することができる。
また、移動量指示回転ダイヤル部２０は、リモートコントローラ３００本体（図７参照）に対して、回転自在に保持されている。
そして、移動量指示回転ダイヤル部２０の下部には、移動量指示回転ダイヤル部２０の回転方向及び回転量を検知する手段である回転検知装置２１を備えており、検知した回転方向及び回転量は、機器の制御部２００へ伝達される。
【００２３】
本発明の実施例における選択装置では、８箇所に配置したボタンの押下により、多次元配列された項目を選択するためのカーソル移動を的確且つ迅速に行うことができる。例えば、配置したボタンを上下、左右、斜め（左上、右上、左下、右下）の３種類に区分して各次元軸に係る移動方向に割り当てることにより、３次元配列された項目の次元軸に係る移動方向を、Ｘ軸、Ｙ軸、Ｚ軸などのように指示することができる。移動方向の具体的な割り当て例については後述する。
【００２４】
図７に示すように、このリモートコントローラ３００では、移動量指示回転ダイヤル部２０の上下部分（図中、Ｘで示す破線で囲まれた領域）の押下は、図８に示す３次元メニュー表示におけるＸ軸の選択に対応するように設定されている。また、移動量指示回転ダイヤル部２０の左右部分（図中、Ｙで示す破線で囲まれた領域）の押下は、図８に示す３次元メニュー表示におけるＹ軸の選択に対応するように設定されている。同様に、移動量指示回転ダイヤル部２０の斜め部分（図中、Ｚで示す破線で囲まれた領域）の押下は、図８に示す３次元メニュー表示におけるＺ軸の選択に対応するように設定されている。
【００２５】
更に、移動量指示回転ダイヤル部２０の回転方向および回転量は、選択された次元軸に係る移動方向の、移動の向きおよび移動量に対応するように設定されている。なお、このリモートコントローラでは、移動量指示回転ダイヤル部２０の中央に、選択を確定させるためのＥＮＴＥＲキー３０が配置されている。
【００２６】
次に、上記構成の選択装置の動作について説明する。なお、選択装置で行われる選択動作は、画面上のカーソル移動に反映されるので、ここでは選択装置を搭載したリモートコントローラ３００のカーソル移動に係る制御動作について説明する。
【００２７】
図９は、本発明の実施例における選択装置を搭載したリモートコントローラの、画面上のカーソル移動量算出動作の手順を示すフローチャートである。はじめに、リモートコントローラ３００の制御部２００は、方向指示スイッチ部１０の押下を判断する（ステップＳ１０１）。ボタンの押下によって次元軸に係る移動方向が指示された場合（ステップＳ１０１におけるＹＥＳ）、次に、移動量指示回転ダイヤル部２０の回転を判断する（ステップＳ１０２）。回転が検知された場合（ステップＳ１０２におけるＹＥＳ）、回転方向と回転量に係る情報に基づいて、指示された軸上でのカーソル移動の向き、移動量を算出する。
【００２８】
なお、リモートコントローラ３００の制御部２００は、算出結果に応じてカーソル位置を変更する表示処理を行う。また、所望のカーソル位置でＥＮＴＥＲキー３０を押下することにより、当該項目の選択が確定することになる。
【００２９】
以下では、図８に示す３次元メニュー表示において、リモートコントローラ３００に搭載した選択装置１００の操作によってどのようにカーソル位置が移動するかを具体的に説明する。
【００３０】
図１０から図１２は、リモートコントローラに搭載した選択装置の操作と、画面表示におけるカーソル移動の対応関係を模式的に示す図である。図１０に示すように、移動量指示回転ダイヤル部２０の上下のいずれかを押下し、その後移動量指示回転ダイヤル部２０を左回転するとＸ軸に配列されたメニュー上を、カーソルが上方向に移動する。一方、移動量指示回転ダイヤル部２０の上下のいずれかを押下し、その後移動量指示回転ダイヤル部２０を右回転するとＸ軸に配列されたメニュー上を、カーソルが下方向に移動する。
【００３１】
なお、本実施例では、移動量指示回転ダイヤル部２０の回転の向きによってカーソルの移動方向（上下）を決定するように設定しているが、例えば、移動量指示回転ダイヤル部２０の上部を押下した時はその後のダイヤルの回転方向によらずカーソルを上へ移動させ、一方、移動量指示回転ダイヤル部２０の下部を押下した時はその後のダイヤルの回転方向によらずカーソルを下へ移動させるような設定としてもかまわない。
【００３２】
次に、図１１に示すように、移動量指示回転ダイヤル部２０の左右のいずれかを押下し、その後移動量指示回転ダイヤル部２０を左回転するとＹ軸に配列されたメニュー上を、カーソルが左方向に移動する。一方、移動量指示回転ダイヤル部２０の左右のいずれかを押下し、その後移動量指示回転ダイヤル部２０を右回転するとＹ軸に配列されたメニュー上を、カーソルが右方向に移動する。
【００３３】
なお、本実施例では、移動量指示回転ダイヤル部２０の回転の向きによってカーソルの移動方向（左右）を決定するように設定しているが、例えば、移動量指示回転ダイヤル部２０の左部を押下した時はその後のダイヤルの回転方向によらずカーソルを左へ移動させ、一方、移動量指示回転ダイヤル部２０の右部を押下した時はその後のダイヤルの回転方向によらずカーソルを右へ移動させるような設定としてもかまわない。
【００３４】
次に、図１２に示すように、移動量指示回転ダイヤル部２０の左上、右上、左下、右下の４箇所のいずれかを押下し、その後移動量指示回転ダイヤル部２０を左回転するとＺ軸に配列されたメニュー上を、カーソルが手前の方向に移動する。一方、移動量指示回転ダイヤル部２０の左上、右上、左下、右下の４箇所のいずれかを押下し、その後移動量指示回転ダイヤル部２０を右回転するとＺ軸に配列されたメニュー上を、カーソルが奥の方向に移動する。
【００３５】
なお、本実施例では、移動量指示回転ダイヤル部２０の回転の向きによってカーソルの移動方向（手前または奥）を決定するように設定しているが、例えば、移動量指示回転ダイヤル部２０の左下部を押下した時はその後のダイヤルの回転方向によらずカーソルを手前の方向へ移動させ、一方、移動量指示回転ダイヤル部２０の右上部を押下した時はその後のダイヤルの回転方向によらずカーソルを奥の方向へ移動させるような設定としてもかまわない。
【００３６】
以下、実際的な表示例を用いて、リモートコントローラ３００に搭載した選択装置１００による項目選択の手順を具体的に説明する。ここでは、予め設定された「機器設定用の３次元メニュー」で、コントラストの調整を行う場合について説明する。このメニューでは、Ｘ軸に配列したメインメニューに関して、Ｙ軸、Ｚ軸の順番にサブメニューが展開されて配列されている。
【００３７】
図１３から図１５は、リモートコントローラに搭載した選択装置の操作と、メニュー選択の対応関係を模式的に示す図である。図１３に示すように、最初に、Ｘ軸（上下方向の軸）上に配列された大分類メニューが表示されるのでこれを選択する。リモートコントローラ３００の移動量指示回転ダイヤル部２０の上下のいずれかを押下して、更に移動量指示回転ダイヤル部２０を適宜回転させて「画質」にカーソルを合わせる。
【００３８】
次に、カーソルが「画質」の位置で、リモートコントローラ３００の移動量指示回転ダイヤル部２０の左右のいずれかを押下すると、図１４に示すように、「画質」に関するサブメニューがＹ軸（左右方向の軸）方向に配列されて表示されるので、移動量指示回転ダイヤル部２０を適宜回転させて「コントラスト」にカーソルを合わせる。
【００３９】
次に、カーソルが「コントラスト」の位置で、リモートコントローラ３００の移動量指示回転ダイヤル部２０の左上、右上、左下、右下のいずれかを押下すると、図１５に示すように、「コントラスト」に関するサブメニューであるインジケータがＺ軸（奥行き方向の軸）方向に配列されて表示されるので、移動量指示回転ダイヤル部２０を適宜回転させて、所望のコントラスト値にカーソルを合わせる。カーソルを合わせた位置でＥＮＴＥＲキー３０を押下すると、設定が確定する。
【００４０】
なお、図１３から図１５に示すように、現在選択されている次元軸に関するメニューは、他の項目と区別して明示的に表示される。表示の方法は限定されるものではなく、様々な表示手法を用いてよいが、例えば、選択可能なメニューのみをカラーでハイライト表示して、その他のメニューに係る項目はグレー表示するなどして区別するようにしてもよい。
【００４１】
なお、本実施例のリモートコントローラ３００では、例えば、図１５に示すようなインジケータによる数値設定の表示状態であっても、移動量指示回転ダイヤル部２０の“上下”のいずれかを押下すると、即座に図１３に示す大分類のメニュー表示に戻ることができる。従って、従来のように「戻る」キーを何度も押下して下位から上位の階層に復帰するという煩雑な操作を行うことなく、多次元配列された項目（メニューまたはサブメニュー）の選択を的確且つ迅速に行うことができる。
【００４２】
次に、実際的なもう一つの表示例を用いて、リモートコントローラ３００に搭載した選択装置１００による項目選択の手順を具体的に説明する。ここでは、ジャンルをキーとして３次元配列されたテレビ番組表から所望の番組を検索（選択）する例について説明する。このメニューでは、Ｚ軸に配列したジャンルメニューに関して、対応する番組情報が時刻とチャンネルに基づくＸ−Ｙ平面上に２次元配列されている。
【００４３】
はじめに、従来の選択例について説明する。図１６は、ジャンルをキーに所望の番組を検索する場合の従来の選択例を模式的に示す図である。図１６に示すように、最初の画面表示で所望のジャンルを選択して決定キーを押下すると、予め設定した任意日付のテレビ番組に関して、所望ジャンルの番組だけが抽出して表示される。
【００４４】
一方、図１７と図１８は、リモートコントローラに搭載した選択装置の操作と、テレビ番組選択の対応関係を模式的に示す図である。図１７に示すように、最初に、Ｚ軸（奥行き方向の軸）上に配列されたジャンルメニューが表示されるのでこれを選択する。リモートコントローラ３００の移動量指示回転ダイヤル部２０の左上、右上、左下、右下のいずれかを押下して、更に移動量指示回転ダイヤル部２０を適宜回転させて「スポーツ」にカーソルを合わせる。
【００４５】
次に、カーソルが「スポーツ」の位置で、リモートコントローラ３００の移動量指示回転ダイヤル部２０の上下または左右のいずれかを押下すると、図１７に示すように、「スポーツ」番組だけを抽出した番組表が表示される。従って、移動量指示回転ダイヤル部２０の上下または左右のいずれかを押下したあとに移動量指示回転ダイヤル部２０を適宜回転すると、所望の番組にカーソルを合わせることができる。カーソルを合わせた位置でＥＮＴＥＲキー３０を押下すると番組の選択が確定する。
【００４６】
同様に、図１８に示すように、リモートコントローラ３００の移動量指示回転ダイヤル部２０の左上、右上、左下、右下のいずれかを押下して、更に移動量指示回転ダイヤル部２０を適宜回転させて「教育」にカーソルを合わせる。
【００４７】
次に、カーソルが「教育」の位置で、リモートコントローラ３００の移動量指示回転ダイヤル部２０の上下または左右のいずれかを押下すると、図１８に示すように、「教育」番組だけを抽出した番組表が表示される。従って、移動量指示回転ダイヤル部２０の上下または左右のいずれかを押下したあとに移動量指示回転ダイヤル部２０を適宜回転させると、所望の番組にカーソルを合わせることができる。カーソルを合わせた位置でＥＮＴＥＲキー３０を押下すると番組の選択が確定する。
【００４８】
なお、図１７と図１８に示すように、現在選択されている「ジャンル」（Ｚ軸のメニュー）は、他のジャンルと区別して明示的に表示される。また現在選択されている「番組名」（Ｘ−Ｙ平面上に２次元配列されている項目）は、他の番組名と区別して明示的に表示される。表示の方法は限定されるものではなく、様々な表示手法を用いてよいが、例えば、選択されているジャンルや番組名のみをカラーでハイライト表示して、その他のジャンルや番組名はグレー表示するなどして区別するようにしてもよい。
【００４９】
なお、本実施例のリモートコントローラ３００では、例えば、図１７に示すような「スポーツ」番組だけを抽出した番組表の表示状態であっても、移動量指示回転ダイヤル部２０の左上、右上、左下、右下のいずれかを押下すると、即座にジャンルの選択メニューがハイライト表示させることができるので、例えば、「教育」を選択すると図１８に示すような「教育」番組だけを抽出した番組表の表示状態に移行させることができる。従って、従来のように「戻る」キーを押下してメインメニューに一度復帰してからジャンルを選択し直すという煩雑な操作を行うことなく、多次元配列された項目（ジャンルと、２次元配列された番組情報）の選択を的確且つ迅速に行うことができる。
【００５０】
ところで、本実施例の選択装置を用いて行う選択方法では、例えば、２次元配列されたメニューの場合には２次元的な表示の全体を視認しながら、また３次元配列されたメニューの場合には３次元的な表示の全体を視認しながら選択が行えるため、現在のカーソル位置がメニューのどの階層にあるか等を容易且つ的確に把握することができる。つまり、本実施例の選択方法は、選択装置の制約からその階層のサブメニューしか表示できなかった従来のメニュー方式の選択方法と比較して、多次元配列された項目の全体を把握しながら的確且つ迅速に選択を行うことができる。
【００５１】
なお、上記の実施例では、上下方向が３次元空間のＸ軸、左右方向がＹ軸、奥行き方向がＺ軸に対応するように方向指示スイッチ部１０のボタンを割り当てたが、これに限定するものではなく、方向指示スイッチ部１０と多次元配列の次元軸に係る移動方向との対応関係は任意に割り当ててよい。但し、上記の実施例で示したように、画面表示から直感的にその対応関係が把握できることが好ましい（即ち、カーソルを上下方向に移動させる場合は上下のボタン、左右方向に移動させる場合は左右のボタンに移動方向を割り当てるなど）。
【００５２】
また、上記の実施例では３次元配列した項目を選択する場合のカーソル移動例について説明したが、これに限定するものではない。画面上の表示に関する工夫が必要となるが、４次元以上の項目を選択するためのカーソルの移動も、上記で説明したようなダイヤルの押下と回転により適切且つ迅速に実行することができる。その際は、８箇所に配置した方向指示スイッチ部１０のボタンのそれぞれに次元軸に係る移動方向を適宜割り当てればよい。
【００５３】
以上、詳述したように、本発明の実施例に係る選択装置１００は、多次元配列された項目を選択する選択装置であって、多次元配列された項目の各次元軸のうち、移動させる次元軸を指示する次元軸指示手段である方向指示スイッチ部１０と、指示した次元軸における移動の向きと移動量を、回転方向と回転量に応じてそれぞれ指示する移動量指示手段である移動量指示回転ダイヤル部２０と、を備え、方向指示スイッチ部１０及び移動量指示回転ダイヤル部２０の連携操作により項目を選択する。
【００５４】
これにより、例えば、Ｘ軸上に配列したメインメニューに関するサブメニューがＹ軸、Ｚ軸へと展開されているような多次元配列されたメニューにおいて、方向指示スイッチ部１０で次元軸を選択し、次に、移動量指示回転ダイヤル部２０のダイヤル回転により当該次元軸上をカーソル移動させることができる。従って、多次元配列された項目を選択するためのカーソル移動を、表示を視認しながら容易且つ的確に行うことができる。また、方向指示スイッチ部１０の押下により次元軸に係る移動方向の指示が随時行えるため、カーソルの移動を迅速且つ的確に行うことができる。
【図面の簡単な説明】
【００５５】
【図１】１次元配列されたデータの表示例および従来の選択手段を用いた選択方法例を模式的に示す図である。
【図２】２次元配列されたデータの表示例および従来の選択手段を用いた選択方法例を模式的に示す図である。
【図３】３次元配列されたデータの表示例を模式的に示す図である。
【図４】項目を階層的に表示して選択を行わせる従来のメニュー表示の例を示す図である。
【図５】本発明の実施例における選択装置の内部構成を示すブロック図である。
【図６】本発明の実施例における選択装置の外観を模式的に示す図である。
【図７】本発明の実施例における選択装置のリモートコントローラへの搭載例を模式的に示す図である。
【図８】リモートコントローラに対応する表示手段に表示される多次元配列された項目の表示例を模式的に示す図である。
【図９】本発明の実施例における選択装置を搭載したリモートコントローラの、画面上のカーソル移動量算出動作の手順を示すフローチャートである。
【図１０】リモートコントローラに搭載した選択装置の操作と、画面表示におけるカーソル移動の対応関係を模式的に示す図である（Ｘ軸方向）。
【図１１】リモートコントローラに搭載した選択装置の操作と、画面表示におけるカーソル移動の対応関係を模式的に示す図である（Ｙ軸方向）。
【図１２】リモートコントローラに搭載した選択装置の操作と、画面表示におけるカーソル移動の対応関係を模式的に示す図である（Ｚ軸方向）。
【図１３】リモートコントローラに搭載した選択装置の操作と、メニュー選択の対応関係を模式的に示す図である（メインメニュー）。
【図１４】リモートコントローラに搭載した選択装置の操作と、メニュー選択の対応関係を模式的に示す図である（サブメニュー）。
【図１５】リモートコントローラに搭載した選択装置の操作と、メニュー選択の対応関係を模式的に示す図である（サブメニュー）。
【図１６】ジャンルをキーに所望の番組を検索する場合の従来の選択例を模式的に示す図である。
【図１７】リモートコントローラに搭載した選択装置の操作と、テレビ番組選択の対応関係を模式的に示す図である（スポーツ番組）。
【図１８】リモートコントローラに搭載した選択装置の操作と、テレビ番組選択の対応関係を模式的に示す図である（教育番組）。
【符号の説明】
【００５６】
１０  方向指示スイッチ部
２０  移動量指示回転ダイヤル部
２１  回転検知装置
３０  ＥＮＴＥＲキー
１００  選択装置
２００  制御部
３００  リモートコントローラ
【図１】
2007172024.tif 000003
【図２】
2007172024.tif 000004
【図３】
2007172024.tif 000005
【図４】
2007172024.tif 000006
【図５】
2007172024.tif 000007
【図６】
2007172024.tif 000008
【図７】
2007172024.tif 000009
【図８】
2007172024.tif 000010
【図９】
2007172024.tif 000011
【図１０】
2007172024.tif 000012
【図１１】
2007172024.tif 000013
【図１２】
2007172024.tif 000014
【図１３】
2007172024.tif 000015
【図１４】
2007172024.tif 000016
【図１５】
2007172024.tif 000017
【図１６】
2007172024.tif 000018
【図１７】
2007172024.tif 000019
【図１８】
2007172024.tif 000020